(57)【特許請求の範囲】
【請求項１】
バルク材の層を搬送しながら冷却するバルク材冷却装置であって、
上方に向かう冷却エアをバルク材の層に供給しながら当該冷却エアによってバルク材の層の中から細粒を上層側に選択的に分離する細粒分離部と、
前記細粒分離部の下流側に設けられ、前記細粒分離部における冷却エアよりも単位面積当たりの流量が小さい冷却エアをバルク材の層に供給する後段冷却部と、
前記細粒分離部よりも上流でバルク材を受け入れる受入れ部と、を備え、
前記受入れ部が、上方に向かう冷却エアをバルク材に供給する前段冷却部を構成しているバルク材冷却装置。
【請求項２】
前記前段冷却部が供給する冷却エアの単位面積当たりの流量は、前記細粒分離部が供給する冷却エアの単位面積当たりの流量よりも大きい、請求項１に記載のバルク材冷却装置。
【請求項３】
前記細粒分離部が、前記受入れ部の直後に連続して設けられている、請求項２に記載のバルク材冷却装置。
【請求項４】
前記細粒分離部は、前記冷却エアを供給することにより、細粒の流動化が開始する直前の状態にする、請求項１乃至３のいずれか１項に記載のバルク材冷却装置。
【請求項５】
前記バルク材がセメントクリンカであり、前記受入れ部が、セメント原料を焼成するためのキルンからセメントクリンカを受け入れる、請求項１乃至４のいずれか１項に記載のバルク材冷却装置。
【請求項６】
バルク材の層を搬送しながら冷却するバルク材冷却方法であって、
上方に向かう冷却エアを受入れ部に受け入れられたバルク材に供給する前段冷却工程と、
前記前段冷却工程の後に、上方に向かう冷却エアをバルク材の層に供給しながら当該冷却エアによってバルク材の層の中から細粒を上層側に選択的に分離する細粒分離工程と、
前記細粒分離工程の後に、前記細粒分離工程での冷却エアよりも単位面積当たりの流量が小さい冷却エアをバルク材の層に供給する後段冷却工程と、
を有するバルク材冷却方法。
【発明の詳細な説明】
【技術分野】
【０００１】
本発明は、例えばセメントクリンカ等のバルク材の層を搬送しながら冷却するための装置及び方法に関する。
【背景技術】
【０００２】
バルク材の層を搬送しながら冷却するバルク材冷却装置として、セメントプラントに備わるクリンカ冷却装置が知られている（例えば、特許文献１及び２参照）。特許文献１及び２に開示された冷却装置は、セメント原料を焼成するためのキルンの後段に設けられており、セメント原料を焼成することによって生成された中間製品（セメントクリンカ）に冷却エアを供給して当該中間製品を急冷する。
【０００３】
セメントクリンカは、１〜２５ｍｍ程度の粒径を有した粒体又は塊体である。クリンカ冷却装置は、キルンから順次に供給されるセメントクリンカを層状にして搬送しながら、セメントクリンカ層に向けて下方から冷却エアを供給し続ける。これにより、セメントクリンカ層は搬送の過程で冷却される。一方、冷却エアは、セメントクリンカとの熱交換によって加熱される。従来、セメントプラントの燃費を改善するため、加熱されたエアをキルンと仮焼炉の燃焼用空気として用いることで、当該エアの熱を回収する技術が活用されている。
【先行技術文献】
【特許文献】
【０００４】
【特許文献１】特表２００６−５２６７５０号公報
【特許文献２】特表２００７−５１５３６５号公報
【発明の概要】
【発明が解決しようとする課題】
【０００５】
前述の熱回収技術をクリンカ冷却装置に適用する場合には、単位時間当たりの熱回収量を大きくするために、セメントクリンカの層高を大きくする傾向にある。しかし、冷却エアが高層のセメントクリンカ層を通過してセメントクリンカ層を十分に冷却するためには、冷却エアの圧力も高くする必要がある。よって逆説的に、冷却エアを供給する送風機の使用電力が大きくなってきている。
【０００６】
そこで本発明は、バルク材の層を搬送しながら冷却するにあたり、エネルギー効率を改善することを目的としている。
【課題を解決するための手段】
【０００７】
本件発明者は、上記の目的を達成すべくバルク材の層を冷却するための装置及び方法を開発する過程で、バルク材、特に粒径のバラツキが大きいバルク材が無作為に積み重なると、粒径の大きいバルク材同士の間に粒径の小さいバルク材が入り込み、それにより充填率が高くなって冷却エアが通過するときの圧力損失が高くなる可能性があるとの知見を得た。また、粒径の大きいバルク材が粒径の小さいバルク材と接触しているために冷却エアとの熱交換が効率よく行われず、結果としてバルク材冷却装置の冷却性能及び熱回収性能が悪化している可能性があるとの知見を得た。本件発明者は、このような知見の下、バルク材の層の充填率が低下すれば、圧力損失が低下したり、粒径の大きいバルク材と冷却エアとの接触機会が増えたりする可能性があるとの着想を得た。本発明は、上記の目的を達成すべく、このような知見及び着想の下で、なされたものである。
【０００８】
すなわち、本発明に係るバルク材冷却装置は、バルク材の層を搬送しながら冷却するバルク材冷却装置であって、上方に向かう冷却エアをバルク材の層に供給しながら当該冷却エアによってバルク材の層の中から細粒を上層側に選択的に分離する細粒分離部と、前記細粒分離部の下流側に設けられ、前記細粒分離部における冷却エアよりも単位面積当たりの流量が小さい冷却エアをバルク材の層に供給する後段冷却部と、を備える。
【０００９】
前記構成によれば、バルク材の層の中から細粒が上層側に選択的に分離される。これにより、粒径が大きいバルク材は下層側に残留したままになるが、粒径が大きいバルク材の間に入り込んでいた細粒が上層側に分離される。すると、後段冷却部においては、バルク材の下層側で充填率が低下しており、粒径が大きいバルク材の表面のうち空隙に臨む部分が増える。よって、冷却エアが上方に向かってバルク材の層を通過するときの冷却エアの圧力損失が小さくなり、小さい圧力でもバルク材を効率的に冷却することができるようになる。また、粒径が大きいバルク材が冷却エアと接触する機会が増えるので、冷却エアと活発に熱交換する。よって、単位面積当たりの流量を小さくしてもバルク材を効率よく冷却することができるようになり、バルク材冷却装置の冷却性能及び熱回収性能が向上する。また、細粒の分離に冷却エアを活用しているので、分離のために専用のデバイスを別途付加する必要がない。以上のようにして、バルク材冷却装置のエネルギー効率を改善することが可能になる。
【００１０】
前記細粒分離部の上流側にバルク材を受け入れる受入れ部を備え、前記受入れ部が、上方に向かう冷却エアをバルク材に供給する前段冷却部を構成していてもよい。前記構成によれば、バルク材をなるべく速くに冷却することができる。また、前段冷却部で冷却エアを供給することにより、粒径が異なるバルク材が混合される状態になったとしても、その下流側に設けた細粒分離部により充填率を低下させることができる。よって、前段冷却部では、冷却に特化して冷却エアの仕様を決めることができる。
【００１１】
前記細粒分離部が、前記受入れ部の直後に連続して設けられていてもよい。前記構成によれば、受入れ部でバルク材が層状になって直ぐに、細粒を分離することができる。このように、なるべく早くに細粒を分離して充填率の低下を図るので、後段冷却部の担当領域が拡大し、エネルギー効率が良好に改善される。
【００１２】
前記細粒分離部は、前記冷却エアの供給により、細粒の流動化が開始する直前の状態にしてもよい。前記構成によれば、細粒のみを上層側に効率よく分離することができ、且つ、流動化が進んで無用な圧力損失が大きくなったり熱交換性能が低下したりするのを避けることができる。
【００１３】
前記バルク材がセメントクリンカであり、前記受入れ部が、セメント原料を焼成するためのキルンからセメントクリンカを受け入れてもよい。セメントクリンカは、粒径のバラツキが比較的大きい。また、キルンでの焼成により１４００℃程度の高温を有した状態で受入れ部に供給されるので、回収可能な熱量も膨大である。よって、細粒を分離することで得られる作用効果が顕著となる。
【００１４】
本発明に係るバルク材冷却方法は、バルク材の層を搬送しながら当該バルク材を冷却するバルク材冷却方法であって、上方に向かう冷却エアをバルク材の層に供給しながら当該冷却エアによってバルク材の層の中から細粒を上層側に選択的に分離する細粒分離工程と、前記細粒分離工程の後に、前記細粒分離工程での冷却エアよりも単位面積当たりの流量が小さい冷却エアをバルク材の層に供給する後段冷却工程と、を有する。
【００１５】
前記方法によれば、前記装置と同様にして、細粒分離工程において、粒径が大きいバルク材の間に入り込んでいた細粒を分離することができる。よって、後段冷却工程において、小さい圧力及び流量でもバルク材を効率的に冷却することができるようになる。
【発明の効果】
【００１６】
以上の説明から明らかなように、本発明によれば、バルク材の層を搬送しながら冷却するにあたり、エネルギー効率を改善することができる。本発明に係る上記及び他の目的、特徴及び利点は、添付図面参照の下、以下の好適な実施態様の詳細な説明から明らかにされる。
【図面の簡単な説明】
【００１７】
【図１】本発明の実施形態に係るクリンカ冷却装置を備えたセメントプラントの焼成設備を示す概念図である。
【図２】図１に示すクリンカ冷却装置の斜視図である。
【図３】図２に示す受入れ部の一部及び細粒分離部の一部を示す側断面図である。
【図４】図４（ａ）は、細粒分離前のセメントクリンカの状態を示す模式図、図４（ｂ）は、細粒分離後のセメントクリンカの状態を示す模式図である。
【図５】セメントクリンカの粒度分布の一例を示すグラフである。
【発明を実施するための形態】
【００１８】
以下、本発明に係るバルク材冷却装置をクリンカ冷却装置に適用した場合を例にして、本発明の実施形態について図面を参照しながら説明する。なお、全ての図を通じて同一又は対応する要素には同一の符号を付して重複する説明を省略する。
【００１９】
［セメントプラント］
図１は、本発明の実施形態に係るクリンカ冷却装置５を備えたセメントプラントの焼成設備１を示す概念図である。セメントプラントでは、セメントを生産するため、原料粉砕工程、焼成工程及び仕上工程が順次に行われる。原料粉砕工程では、セメント原料が粉砕される。焼成工程では、粉砕されたセメント原料が焼成及び急冷され、それにより粒状又は塊状のセメントクリンカが生成される。仕上工程では、セメントクリンカが破砕され、それにより製品としてのセメントが生成される。
【００２０】
図１は、セメントプラント内で焼成工程を行うための焼成設備１を模式的に示しており、実線矢印でセメント原料又はセメントクリンカの流れ、点線矢印でガスの流れをそれぞれ示している。図１に示すように、焼成設備１は、予熱器２、仮焼炉３、ロータリーキルン４及びクリンカ冷却装置５を備えており、これら装置２〜５がこの順に接続されている。予熱器２は、上下に並ぶ複数段のサイクロン６を有しており、下から２段目のサイクロン６が、仮焼炉３の入口に接続されている。ロータリーキルン４は、円筒状に形成され、軸方向両端部に入口及び出口を有している。また、ロータリーキルン４は、入口から出口に向かって下傾するようにして配置され、軸心周りに回転可能である。ロータリーキルン４の出口には燃焼装置８が設けられており、燃焼装置８は、ロータリーキルン４の入口側に向かう高温の火炎及び燃焼ガスを発生させる。ロータリーキルン４の入口は、仮焼炉３の出口及び最下段のサイクロン６に接続され、ロータリーキルン４の出口は、クリンカ冷却装置５に接続されている。
【００２１】
セメント原料は、予熱器２内を下向きに搬送される過程で、焼成反応に先立ち予熱される。また、セメント原料は、予熱器２から仮焼炉３へと導かれ、仮焼炉３内で仮焼される。予熱及び仮焼は、ロータリーキルン４からの排気及び仮焼炉３での燃焼ガスとの熱交換により行われ、ロータリーキルン４からの排気は、仮焼炉３及び予熱器２内を上向きに流れて最上段のサイクロン６から排出される。予熱及び仮焼されたセメント原料は、ロータリーキルン４の入口に供給される。セメント原料は、ロータリーキルン４内で出口に向かって搬送されていく過程で焼成される。焼成されたセメント原料は、粒状又は塊状となってロータリーキルン４の出口から排出され、クリンカ冷却装置５に供給される。以降では、クリンカ冷却装置５の構成及び作用の説明の便宜のため、ロータリーキルン４の出口から仕上工程が行われるまでのセメントの中間製品を「セメントクリンカ」として説明する。
【００２２】
クリンカ冷却装置５は、ロータリーキルン４から排出されたセメントクリンカの供給を受ける。クリンカ冷却装置５は、供給されたセメントクリンカを層状にして搬送しながら、セメントクリンカ層に冷却エアを供給する。これにより、セメントクリンカ層が、搬送されていく過程で、約１４００℃から大気温＋６５℃程度にまで急冷される。なお、冷却エアは、セメントクリンカ層との熱交換により加熱される。加熱されたエアの一部は、仮焼炉３及びロータリーキルン４に送られ、燃焼用空気として利用される。加熱されたエアの熱が仮焼炉３及びロータリーキルン４で回収されるので、焼成設備１の燃費を改善することができる。
【００２３】
［セメントクリンカの搬送］
図２は、図１に示すクリンカ冷却装置５の斜視図である。なお、図２では、説明の便宜のため、クリンカ冷却装置５内ではセメントクリンカ９０の図示を省略する。図２に示すように、クリンカ冷却装置５は、セメントクリンカ９０が搬送されていく方向（以下、「搬送方向」）に長尺に構成されている。
【００２４】
クリンカ冷却装置５は、セメントクリンカにどのようにして冷却エアを供給するのかという観点に照らして、前段冷却部１０１と、前段冷却部１０１の搬送方向下流側に設けられた細粒分離部１０２と、細粒分離部１０２の搬送方向下流側に設けられた後段冷却部１０３とを有している。
【００２５】
また、クリンカ冷却装置５は、セメントクリンカをどのようにして搬送するのかという観点に照らして、ロータリーキルン４からセメントクリンカ９０の供給を受け入れる受入れ部１１と、受入れ部１１から搬送方向の下流側へ延びる可動部１２とを有している。まず、受入れ部１１及び可動部１２の構成について説明する。
【００２６】
受入れ部１１は、ロータリーキルン４の出口下に設けられた固定傾斜格子１３を有している。固定傾斜格子１３は、ロータリーキルン４の出口下から下傾しつつ搬送方向下流側の可動部１２に向かって延びる傾斜面１４を有している。傾斜面１４は、その法線方向に見て等脚台形状に形成されており、上流部（すなわち、ロータリーキルン４の出口下の部分）から下流部（すなわち、可動部１２に接続する部分）に向かうに連れて幅広になっている。また、受入れ部１１は、傾斜面１４の幅方向両側から上方に延びる一対の案内壁１５を有している。
【００２７】
ロータリーキルン４から排出されたセメントクリンカ９０は、固定傾斜格子１３の傾斜面１４の上流部に向かって落下する。傾斜面１４の上流部には、セメントクリンカ９０の堆積物９１が丘状に残留している。ロータリーキルン４から落下したセメントクリンカ９０は、堆積物９１上を滑って傾斜面１４上に落ち、傾斜面１４及び案内壁１５に沿って下流部へと転がり落ちていく。セメントクリンカ９０を丘状の堆積物９１で滑らせるので、ロータリーキルン４から排出される多数のセメントクリンカ９０を幅方向に均質に分散させて可動部１２へと送ることができる。
【００２８】
可動部１２は、搬送方向と直交する方向であって上下方向と異なる方向（以下「直交方向」）に並べられた複数列の可動床１７と、複数列の可動床１７それぞれに対応する搬送アクチュエータ１８とを備えている。各可動床１７は、搬送方向に並べられた複数の移動格子１９を有し、複数の移動格子１９は、搬送方向に長尺のフレーム２０に固定されている。
【００２９】
受入れ部１１から送られてきたセメントクリンカ層は、複数列の可動床１７上に支持される。また、セメントクリンカ層は、複数列の可動床１７の搬送方向の全体及び直交方向の全体に亘って敷き詰められる。搬送アクチュエータ１８が動作すると、対応するフレーム２０に搬送方向の推進力が付与され、フレーム２０が搬送方向の上流側又は下流側に移動し、当該フレーム２０に固定された複数の移動格子１９が同速度で同方向に移動する。このようにして搬送アクチュエータ１８の動作に伴って可動床１７が搬送方向に移動し、可動床１７の移動に伴って可動床１７上のセメントクリンカ層が搬送される。本実施形態では、いわゆる縦列摺動方式により可動床１７が動作してセメントクリンカ層が搬送される。
【００３０】
図示のように６列の可動床１７を例にして、典型的な縦列摺動方式による可動床１７の動作及びセメントクリンカ層の搬送について説明する。まず、全ての搬送アクチュエータ１８を同期動作させ、全列の可動床１７を初期位置から搬送方向下流側に所定ストロークだけ同期移動させる（送り工程）。すると、可動床１７上のセメントクリンカ層が、搬送方向下流側に一斉に搬送される。次に、６列の可動床１７のうち一部（例えば、図２紙面の左から１列目と４列目の２列）を搬送方向上流側に前記所定ストロークだけ移動させて前記初期位置に戻す（戻り工程）。逆に言えば、残りの可動床１７を静止させておく。このとき、移動させる可動床を静止させる可動床よりも少なくしておき、また、移動させる可動床を複数列とした場合には、それらが隣り合っていないことが好ましい。移動させる可動床１７がこのようにして選定されると、一部の可動床１７が移動しているにも関わらず、セメントクリンカ層の全体が残りの静止した可動床１７により支持されて静止状態となる。一方、移動する可動床１７は、静止状態のセメントクリンカ層に対して滑って初期位置まで戻ることとなる。その後は、搬送方向下流側に移動したままとなっている可動床１７が、これと同様にして、搬送方向上流側に戻される。以上の工程（例えば、送り工程１回、戻り工程３回）を１サイクルとする一連の動作を繰り返すことにより、各可動床１７が前記所定ストロークの往復移動を繰り返しているだけであるのに、セメントクリンカ層が搬送方向下流側に間欠的に搬送される。なお、可動床１７の列数が６列以外であっても、上記同様の方式により、セメントクリンカ層を同様にして搬送することができる。
【００３１】
縦列摺動方式により可動床１７が動作する場合には、送り工程で、可動床１７上のセメントクリンカ層が搬送方向下流側に一斉に搬送される。すると、セメントクリンカが、受入れ部１１から可動床１７の上流端部に流れ込んでいく。本実施形態では、受入れ部１１においてセメントクリンカが傾斜面１４上に支持されているので、セメントクリンカ層が、可動部１２へと自動的に且つ円滑に流れ込んでいく。戻り工程では、可動床１７が上流側に移動する一方、セメントクリンカ層の全体は静止しようとするので、移動している可動床１７の下流端部では、当該可動床１７により支持され得なくなったセメントクリンカが落下する。このようにして落下したセメントクリンカが、回収されて仕上工程に供給される。以上のように、縦列摺動方式を採用している場合、可動部１２は、送り工程においてセメントクリンカの供給を受け、戻り工程においてセメントクリンカを排出する。
【００３２】
図３は、図２に示す受入れ部１１と可動部１２の上流端部とを部分的に示す側断面図である。図３に示すように、各移動格子１９は、上に開放された略直方体状の箱部２１を有し、箱部２１は、セメントクリンカ層を支持する底壁２２を有している。すると、セメントクリンカ層には、箱部２１の内部に収容されたデッド層９３と、箱部２１の矩形枠状の上端面及びデッド層９３の上に積み重なった輸送層９４とが存在することとなる。
【００３３】
上記のように可動床１７が動作すると、送り工程では、デッド層９３が、箱部２１と完全に一体化して搬送方向下流側に移動する。また、輸送層９４は、箱部２１に対して相対的には搬送方向上流側に滑りつつも、搬送方向下流側へと搬送されていく。戻り工程では、デッド層９３が、箱部２１と完全に一体化して搬送方向上流側に移動する。一方、輸送層９４は、箱部２１の移動には追従しない。デッド層９３は、箱部２１と共に可動部１２を成しているとも言え、焼成設備１の操業中には原則的に箱部２１上に残留する。なお、本実施形態では、輸送層９４の層高が、概ね、７００mm以上に設定される。
【００３４】
［セメントクリンカの冷却］
図３に示すように、このようにして搬送されるセメントクリンカ層に実質的に上方に向かう冷却エアを供給するために、固定傾斜格子１３の傾斜面１４には、幅方向（直交方向）に長尺に延びるスリット３２が設けられている。移動格子１９の底壁２２にも、スリット３５が設けられる。スリット３２を介して、固定傾斜格子１３の上のクリンカへ冷却空気を供給する。また、スリット３５及び移動格子１９上のデッド層９３を介し、更に上方にある高温クリンカへ冷却空気を供給する。
【００３５】
図２に示すように、本実施形態に係るクリンカ冷却装置５は、先に簡単に触れたように、前段冷却部１０１と、前段冷却部１０１の搬送方向の下流側に設けられた細粒分離部１０２と、細粒分離部１０２の搬送方向の下流側に設けられた後段冷却部１０３とを有している。
【００３６】
前段冷却部１０１は、受入れ部１１と可動部１２との境界から搬送方向上流側に設けられており、受入れ部１１は、前段冷却部１０１を構成している。前段冷却部１０１は、前述した固定傾斜格子１３と、固定傾斜格子１３の下側のスペースに設けられた第１冷却ファン４１とを備えている。第１冷却ファン４１は、大気からエアを取り込んで冷却エアＡ１を圧送する。圧送された冷却エアＡ１は、固定傾斜格子１３を下から上に通り抜け、受入れ部１１内のセメントクリンカに供給されて略上方に向けて流れていく。
【００３７】
細粒分離部１０２は、受入れ部１１と可動部１２との境界から搬送方向の下流側に一定距離進んだ位置までの間に設けられている。つまり、本実施形態では、細粒分離部１０２が、可動部１２の搬送方向上流端部であって、前段冷却部１０１の直後に連続して設けられている。前記一定距離は、搬送方向に並ぶ複数の移動格子１９のうち数個分に相当する搬送方向長さである。セメントクリンカ層は、細粒分離部１０２を例えば１〜２分程度の時間をかけて通過するが、細粒分離部１０２の実際の搬送方向長さは実機全体のバランスを考慮して決められる。細粒分離部１０２は、当該一定距離内に含まれる移動格子１９と、当該移動格子１９の下側のスペースに設けられた第２冷却ファン４２とを備えている。第２冷却ファン４２は、大気からエアを取り込んで冷却エアＡ２を圧送する。圧送された冷却エアＡ２は、細粒分離部１０２に対応する移動格子１９を下から上に通り抜け、可動床１７上のセメントクリンカ層に供給されて略上方に向けて流れていく。
【００３８】
後段冷却部１０３は、細粒分離部１０２の直後に連続し、可動部１２の搬送方向下流端部にまで設けられている。このように、本実施形態では、細粒分離部１０２及び後段冷却部１０３が可動部１２を構成している。後段冷却部１０３は、搬送方向に並ぶ複数の移動格子１９のうち細粒分離部１０２よりも下流側の移動格子１９と、当該移動格子１９の下側のスペースに設けられた第３冷却ファン４３とを備えている。本実施形態では、後段冷却部１０３が、搬送方向に比較的長尺となっているので、後段冷却部１０３は複数の第３冷却ファン４３を備えており、これら複数の第３冷却ファン４３が、搬送方向に間隔をおいて並べられている。各第３冷却ファン４３は、大気からエアを取り込んで冷却エアＡ３を圧送する。圧送された冷却エアＡ３は、各第３冷却ファン４３に対応する移動格子１９を下から上に通り抜け、可動床１７上のセメントクリンカ層に供給されて略上方に向けて流れていく。
【００３９】
ファンの配置に着目すれば、第１冷却ファン４１、第２冷却ファン４２及び複数の第３冷却ファン４３が、受入れ部１１から可動部１２の搬送方向下流部に至るまでの間に、搬送方向に間隔をおいて並べて配置されている。複数の可動床１７が動作している間、これら冷却ファン４１〜４３も動作し続ける。よって、セメントクリンカ層は、受入れ部１１から可動部１２の搬送方向の下流端部に至るまでの間、すなわち前段冷却部１０１、細粒分離部１０２及び後段冷却部１０３をこの順で通過していく間、冷却エアの供給を受け続けて急冷される。なお、冷却エアの単位面積当たりの流量は、直交方向においては略均質で殆ど勾配がなく、セメントクリンカ層が直交方向に極力均質に冷却されるようになっている。ここで、「単位面積当たりの流量」は、単位面積単位時間当たりに流れる冷却エアの基準状態（０℃、１気圧）下での体積[Nm3/m2・s]として定義されることができ、当該単位面積は、各冷却ファン４１〜４３に割り当てられた領域全体の平面積を基準にして算出されることができる。
【００４０】
本実施形態では、細粒分離部１０２における冷却エアＡ２の単位面積当たりの流量は、前段冷却部１０１における冷却エアＡ１の単位面積当たりの流量よりも小さく、後段冷却部１０３における冷却エアＡ３の単位面積当たりの流量よりも大きい。このようにファンにより流量を異ならせているため、クリンカ冷却装置５は、セメントクリンカ層を搬送しながら冷却するにあたり、下記のとおり特異な作用効果を奏する。
【００４１】
すなわち、前段冷却部１０１での冷却エアＡ１の単位面積当たりの流量が、他の部位（特に、細粒分離部１０２）よりも大きく設定されている。このため、ロータリーキルン４から供給されたセメントクリンカは可及的速くに冷却される。前述したように、セメントクリンカ層は堆積物９１を用いて幅方向に均質に分散されるので、受入れ部１１においてセメントクリンカ層の層高を幅方向にも安定させることができる。また、流量が大きければ、固定傾斜格子１３を通り抜けるときに生じる冷却エアＡ１のコアンダ効果が良好に発揮され、可動床１７の送り工程において、層高が安定したセメントクリンカ層を傾斜面１４に沿って自動的に且つ円滑に可動部１２に送ることができる。複数の可動床１７が動作している間は、上記作用が連続的にもたらされるので、可動部１２に送られたセメントクリンカ層の層高が、搬送方向にも直交方向にも安定する。よって、セメントクリンカ層の冷却ムラを小さくすることができる。
【００４２】
図４（ａ）は、前段冷却部１０１から細粒分離部１０２に送られた直後のセメントクリンカの状態を示す模式図、図４（ｂ）は、細粒分離部１０２から後段冷却部１０３に送られた直後のセメントクリンカの状態を示す模式図である。つまり、細粒分離部１０２において、セメントクリンカの状態は図４（ａ）に示すものから図４（ｂ）に示すものへと変化していく。
【００４３】
図４（ａ）に示すように、セメントクリンカの粒径は、１ｍｍ〜２５ｍｍの広範囲に分布しており、セメントクリンカの粒径のバラツキは比較的大きい。すると、前段冷却部１０１において傾斜面１４に沿って移送される過程において、セメントクリンカ層は、急速に冷却される一方で、様々な粒径のものが混合された状態となる。細粒分離部１０２に送られた直後のセメントクリンカ層のうち少なくとも輸送層９４は、このような状態になる。
【００４４】
このように様々な粒径のセメントクリンカが層内で混合されていると、粒径の小さいセメントクリンカが粒径の大きいセメントクリンカ同士の間に入り込み、輸送層９４の充填率が高さ方向において略一定の高い値で推移する。一方、第２冷却ファン４２からの冷却エアＡ２は、セメントクリンカの表面間に形成される空隙を通過することにより、セメントクリンカ層内を略上向きに流れていく。充填率が高ければ（空隙が狭ければ）、セメントクリンカ層を通過するときの冷却エアＡ２の圧力損失（以下、「クリンカ通過圧損」）が高くなる。また、充填率が高ければ、粒径の大きいセメントクリンカの表面のうち大部分が粒径の小さいセメントクリンカの表面と接触する可能性があり、それにより粒径の大きいセメントクリンカが冷却エアと接触しにくくなる。
【００４５】
そこで、細粒分離部１０２では、セメントクリンカの層に略上方に向かう冷却エアが供給されると共に、当該冷却エアＡ２を活用してセメントクリンカ層の中から細粒が選択的に上層側へと分離される。逆に言えば、第２冷却ファン４２は、細粒を選択的に上層側へ押し上げるために必要となる圧力及び流量を有した冷却エアＡ２を圧送することとなる。細粒は、冷却エアＡ２と共にセメントクリンカ同士の間の空隙を潜り抜けるようにして又は冷却エアＡ２に押されることで他のセメントクリンカを押し退けるようにして、上層側へと輸送されていく。
【００４６】
一般に、粉粒体の層内に供給されるエアの流量が高くなっていくに連れて、粉粒体の層は、固定層から最小流動層、均一流動層、気泡流動層へとこの順で移行する。流量が更に高くなっていくに連れて、スラッギング、乱流流動化及び高速流動化がこの順で生じていく。また、一般に、粉流体の粒径が大きければ、同一の流動化状態（例えば、均一流動化や気泡流動化やスラッギング）になるために必要な流量は大きくなる。逆に言えば、粒径の小さなものほど、前記のような流動化状態の移行が早くなる。
【００４７】
本実施形態において、「流動化する直前の状態」とは、少なくとも気泡流動層へ移行する直前の状態、好ましくは、均一流動化又は最小流動化する直前の状態である。このため、冷却エアＡ２の流量は、少なくとも分離する細粒のうち最大粒径のセメントクリンカの気泡発生速度未満に設定されていることが好ましい。セメントクリンカの流動化が気泡流動化を生じるまでに促進されてしまうと、クリンカ通過圧損が顕著に高くなり、冷却ファンの圧力を高くする必要性が生じるからである。また、セメントクリンカの流動化が均一流動化を生じるまでに促進されてしまうと、均一流動化を生じている部分において温度が平均化され、冷却エアを供給してもセメントクリンカから効率よく熱を回収することができなくなる可能性があるからである。セメントクリンカの気泡流動化や均一流動化を生じさせないように冷却エアの流量を設定することにより、冷却エアの圧力及び流量を無駄に高くすることなく、効率的にセメントクリンカを冷却することができるし効率的にセメントクリンカから熱を回収することができる。
【００４８】
本実施形態において、分離すべき細粒の大きさの選定については、後述する作用（下層側での充填率の低下）を得ることが可能な範囲内であれば、特に限定されない。例えば、細粒は、可動床１７上のセメントクリンカ層に含まれるセメントクリンカのうち、粒径６mm付近以下のセメントクリンカであってもよい。また、細粒は、累積粒子重量割合の２０〜３０％であってもよい。
【００４９】
セメントクリンカの粒度分布は、セメント原料の組成やその他の条件に応じて変わる。図５にその一例を極めて概念的に示すと、ある粒度分布を持つセメントクリンカでは、粒径６mmの細粒側からの累積粒子重量割合は約２５％である。このような一例において、本件発明者が試験を行った結果、冷却エアＡ２の流量を1.25〜1.45[Nm3/m2・s]に設定すると、粒径６mm以下の累積粒子重量割合約２５％分のセメントクリンカを、流動化する直前の状態にして、選択的に上層側に分離することができることを確認した。このとき、粒径が極小のものは流動化を生じるものの、分離された細粒のうち比較的粒径の大きいものは、均一流動化を生じないような状態、つまり、流動化する直前の状態となる。
【００５０】
細粒を流動化する直前の状態にして選択的に上層側に分離することは、粒径が大きいセメントクリンカを下層側で選択的に固定層として維持することと殆ど同義である。図４（ｂ）に示すように、細粒を分離した結果、下層側では、粒径の大きいセメントクリンカが残留する一方で、これら粒径の大きいセメントクリンカ同士の間に入り込んでいた細粒がなくなる。よって、下層側における充填率が低下する。この細粒の分離は、冷却エアＡ２の供給により実現される。このため、セメントクリンカは当該冷却エアＡ２の供給を受けて良好に冷却される。
【００５１】
細粒分離部１０２の下流側に設けられた後段冷却部１０３では、第３冷却ファン４３からの冷却エアＡ３のクリンカ通過圧損が小さくなる。よって、後段冷却部１０３では、冷却エアＡ３の圧力が小さくても、冷却エアＡ３がセメントクリンカ層を通過しやすくなり、セメントクリンカ層を好適に冷却することができる。また、下層側では、充填率の低下に伴って、粗粒の表面のうち空隙に大きく露出する部分が増えるので、粗粒と冷却エアＡ３とが接触する機会が増え、粗粒が冷却エアＡ３と効率良く熱交換可能になる。よって、冷却エアＡ３の流量が小さくても粗粒が好適に冷却される。このようにして、可動部１２の全体に供給される冷却エアの流量を小さくしながら、セメントクリンカを良好に冷却することもでき、冷却性能が向上する。冷却エアＡ２の流量を前述の数値に設定した場合、冷却エアＡ３の流量を例えば0.6〜0.8[Nm3/m2・s]に設定しても、セメントクリンカ層を必要な温度まで冷却することが可能である。なお、冷却エアＡ２及び冷却エアＡ３の流量を前述の数値に設定した場合、冷却エアＡ１の流量を例えば1.60〜1.55[Nm3/m2・s]に設定することが可能である。
【００５２】
このように、本実施形態に係るクリンカ冷却装置５では、セメントクリンカ層の充填率を部分的にでも低下させるために、局所的に冷却エアの流量を大きくして細粒を上層側に分離する。これにより、全体としての冷却ファンの圧力及び流量を小さくしながらも従前同様にしてセメントクリンカを冷却することができ、その結果として、クリンカ冷却装置５の冷却性能及び熱回収性能が改善される。したがって、クリンカ冷却装置５のエネルギー効率が改善され、ひいては、焼成工程を行う装置全体の燃費が良好に改善される。また、前段冷却部１０１で冷却エアＡ１を供給した後、細粒分離部１０２において細粒が分離されるようにしているので、前段冷却部１０１では冷却に特化して冷却エアの仕様を決めることができ、ロータリーキルン４から排出された直後のセメントクリンカを好適に冷却することができる。
【００５３】
［変更例］
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【００５４】
例えば、細粒分離部１０２は、必ずしも受入れ部１１の直後に設けられていなくてもよく、細粒を分離するには不十分な流量の冷却エアを供給する部位が、受入れ部１１と細粒分離部１０２との間に設けられていてもよい。ただし、細粒分離部１０２を受入れ部１１の直後に設けていれば、細粒の分離による充填率の低下が、なるべく搬送方向上流側で達成されるので、冷却効率が良好に向上する。
【００５５】
また、可動部１２が二階式である場合があり、典型的な二階式の可動部は、受入れ部から搬送方向下流側に延びる上階部と、上階部の搬送方向下流端部の直下から搬送方向下流側に延びる下階部とを有する。この場合、細粒分離部１０２は、上階部における受入れ部の直後だけでなく、下階部における搬送方向上流端部にも設けられていてもよい（いずれの箇所も受入れ部よりも下流側である）。すると、上階部から下階部へと落下したセメントクリンカ層の中から細粒を分離しなおすことができ、下階部における冷却エアの流量及び圧力を小さくすることができる。
【００５６】
細粒分離部１０２に複数の第２冷却ファン４２を設け、これら複数の第２冷却ファン４２が、搬送方向に並べられていてもよい。この場合、細粒を分離するために必要な流量である限りにおいて、各第２冷却ファン４２の流量が互いに異なっていてもよい。後段冷却部１０３に設けられている複数の第３冷却ファン４３も、互いに同じ流量の冷却エアを圧送していてもよいし、互いに異なる流量の冷却エアを圧送していてもよい。第１冷却ファン４１についても同様である。また、上記実施形態では、説明の単純化のため、前段冷却部１０１、細粒分離部１０２及び後段冷却部１０３の各部において、直交方向には１台の冷却ファンを設けるとしているが、複数の冷却ファンが直交方向に並べられていてもよい。
【００５７】
セメントクリンカの搬送には、いわゆる振り子摺動方式など、縦列摺動方式以外の方式が用いられていてもよい。固定傾斜格子１３及び移動格子１９の構造様式及び冷却エアの噴出方式も、上記のものに限定されない。なお、細粒の分離に別の手法が用いられてもよいが、上方に向かう冷却エアを活用すると、細粒の分離のために専用のデバイスを別途付加する必要がないので、有益である。
【００５８】
本発明に係るバルク材冷却装置は、バルク材の層を搬送しながら略上方に向かう冷却エアを供給して当該バルク材の層を冷却する構成の装置であれば、どのような装置にも好適に適用可能である。セメント原料を焼成することによって生成されるセメントクリンカは、粒径にバラツキがあって保有熱量も高いことに照らすと、セメントクリンカを冷却するクリンカ冷却装置では、細粒を分離することによる作用効果が顕著にもたらされる。よって、クリンカ冷却装置には本発明を特に好適に適用することができる。
【産業上の利用可能性】
【００５９】
本発明は、バルク材の層を搬送しながら当該バルク材の層を冷却するにあたり、エネルギー効率を改善することができるとの作用効果を奏し、セメントプラントの焼成設備に備わるクリンカ冷却装置に適用すると有益である。
【符号の説明】
【００６０】
１  焼成設備
２  予熱器
３  仮焼炉
４  ロータリーキルン
５  クリンカ冷却装置（バルク材冷却装置）
１１  受入れ部
１２  可動部
１３  固定傾斜格子
１４  傾斜面
１７  可動床
１９  移動格子
３２，３５  スリット
４１〜４３  冷却ファン
９０  セメントクリンカ（バルク材）
９３  デッド層
９４  輸送層
１０１  前段冷却部
１０２  細粒分離部
１０３  後段冷却部
【図１】
0005866196.tif 000002
【図２】
0005866196.tif 000003
【図３】
0005866196.tif 000004
【図４】
0005866196.tif 000005
【図５】
0005866196.tif 000006